(57)【特許請求の範囲】
【請求項１】
塗料供給源と、
送出器と、
塗装用ロボットと、
前記塗料供給源から前記送出器を経て前記塗装用ロボットと接続され、その一部が非防爆エリアに位置するように配置されている流路と、
前記流路に配置され、当該流路を通流する塗料の流量を検出するように構成されている、非接触型流量計と、を備え、
前記塗料供給源、前記送出器、及び前記塗装用ロボットは、防爆エリアに配置され、
前記防爆エリアと前記非防爆エリアは、隔壁により隔離されていて、
前記隔壁には、隔壁部材が設置されていて、
前記隔壁部材には、前記非防爆エリアに配置される配管と継手が設置されていて、
前記非防爆エリアに配置される配管の両端部には、前記継手が設けられていて、
前記継手に前記防爆エリアに配置されている配管が接続され、
前記非接触型流量計は、前記非防爆エリアに配置されている配管に配設されている、ロボットシステム。
【請求項２】
前記流路は、前記送出器と前記塗装用ロボットを接続する第１流路を有し、
前記非接触型流量計は、前記第１流路を構成し、前記非防爆エリアに配置されている第１配管に配設されている、請求項１に記載のロボットシステム。
【請求項３】
前記流路は、前記塗料供給源と前記送出器を接続する第２流路を有し、
前記非接触型流量計は、前記第２流路を構成し、前記非防爆エリアに配置されている第２配管に配設されている、請求項１又は２に記載のロボットシステム。
【請求項４】
前記流路は、前記塗料供給源と前記送出器を接続する第２流路と、第３流路と、を有し、
前記第２流路の途中には、切替器が配設されていて、
前記第３流路は、前記切替器と前記塗料供給源を接続するように構成されていて、
前記非接触型流量計は、前記第３流路を構成し、前記非防爆エリアに配置されている第３配管に配設されている、請求項２又は３に記載のロボットシステム。
【請求項５】
制御装置をさらに備え、
前記制御装置は、前記非接触型流量計が検出した前記塗料の流量が入力され、かつ、前記送出器の動作を制御するように構成されていて、
前記制御装置は、前記非接触型流量計が検出した前記塗料の流量と、前記送出器の動作の有無と、を基に、前記流路に異常が発生しているか否かを判定するように構成されている、請求項１〜４のいずれか１項に記載のロボットシステム。
【請求項６】
塗料供給源と、
送出器と、
塗装用ロボットと、
前記塗料供給源から前記送出器を経て前記塗装用ロボットと接続され、その一部が非防爆エリアに位置するように配置されている流路と、
前記流路に配置され、当該流路を通流する塗料の流量を検出するように構成されている、非接触型流量計と、を備え、
前記流路が、前記送出器と前記塗装用ロボットを接続する第１流路と、前記塗料供給源と前記送出器を接続する第２流路と、第３流路と、を有し、
前記第２流路の途中には、切替器が配設されていて、
前記第３流路は、前記切替器と前記塗料供給源を接続するように構成されていて、
前記防爆エリアと前記非防爆エリアは、隔壁により隔離されていて、
前記隔壁には、隔壁部材が設置されていて、
前記非接触型流量計は、前記第１流路を構成し、前記非防爆エリアに配置されている第１配管、前記第２流路を構成し、前記非防爆エリアに配置されている第２配管、及び前記第３流路を構成し、前記非防爆エリアに配置されている第３配管のうち、少なくとも２つの配管に配設され、
前記隔壁部材には、前記非防爆エリアに配置される配管と継手が設置されていて、
前記非防爆エリアに配置される配管の両端部には、前記継手が設けられていて、
前記継手に前記防爆エリアに配置されている配管が接続される、ロボットシステム。
【請求項７】
塗料供給源と、
送出器と、
塗装用ロボットと、
前記塗料供給源から前記送出器を経て前記塗装用ロボットと接続され、その一部が非防爆エリアに位置するように配置されている流路と、
前記流路に配置され、当該流路を通流する塗料の流量を検出するように構成されている、非接触型流量計と、を備え、
前記流路が、前記送出器と前記塗装用ロボットを接続する第１流路と、前記塗料供給源と前記送出器を接続する第２流路と、第３流路と、を有し、
前記第２流路の途中には、切替器が配設されていて、
前記第３流路は、前記切替器と前記塗料供給源を接続するように構成されていて、
前記防爆エリアと前記非防爆エリアは、隔壁により隔離されていて、
前記隔壁には、隔壁部材が設置されていて、
前記非接触型流量計は、前記第２流路を構成し、前記非防爆エリアに配置されている第２配管、及び前記第３流路を構成し、前記非防爆エリアに配置されている第３配管のそれぞれに配設され、
前記隔壁部材には、前記非防爆エリアに配置される配管と継手が設置されていて、
前記非防爆エリアに配置される配管の両端部には、前記継手が設けられていて、
前記継手に前記防爆エリアに配置されている配管が接続される、ロボットシステム。
【請求項８】
前記非防爆エリアに配置されている配管は、金属で構成されている、請求項２〜７のいずれか１項に記載のロボットシステム。
【発明の詳細な説明】
【技術分野】
【０００１】
本発明は、塗装用ロボットを備える、ロボットシステムに関する。
【背景技術】
【０００２】
自動車のボディ等のワークに塗装ガンを用いて塗装する塗装システム（ロボットシステム）では、塗料に含まれる有機溶剤によって溶剤雰囲気が形成されることを考慮して、防爆仕様の流量計などの機器が使用される（例えば、特許文献１参照）。また、防爆仕様の流量計が防爆エリアに配置されている、塗装システム等が知られている（例えば、特許文献２〜４参照）。
【先行技術文献】
【特許文献】
【０００３】
【特許文献１】特開２０１９−０３４２６０号公報
【特許文献２】特開２０１３−０３６９１８号公報
【特許文献３】特開２０１１−０２５１５１号公報
【特許文献４】特開平４−２４４９１８号公報
【発明の概要】
【発明が解決しようとする課題】
【０００４】
しかしながら、防爆仕様の流量計は高価であり、装置コストが高くなるという課題があった。また、流量計が防爆エリアに配置されているため、メンテナンス作業が困難となるという課題があった。【０００５】
本発明は、上記従来の課題を解決するもので、システムのコストを低減し、メンテナンス作業を容易にすることができる、ロボットシステムを提供することを目的とする。
【課題を解決するための手段】
【０００６】
上記課題を解決するために、本発明に係るロボットシステムは、塗料供給源と、送出器と、塗装用ロボットと、前記塗料供給源から前記送出器を経て前記塗装用ロボットと接続され、その一部が非防爆エリアに位置するように配置されている流路と、前記流路に配置され、当該流路を通流する塗料の流量を検出するように構成されている、非接触型流量計と、を備え、前記塗料供給源、前記送出器、及び前記塗装用ロボットは、防爆エリアに配置され、前記非接触型流量計は、前記非防爆エリアに配置されている。【０００７】
これにより、非接触型流量計に、防爆仕様を施す必要がなく、システムの高コスト化を抑止することができる。また、非接触型流量計が、非防爆エリアに配置されているので、メンテナンス作業を容易に実行することができる。【０００８】
本発明の上記目的、他の目的、特徴、及び利点は、添付図面参照の下、以下の好適な実施形態の詳細な説明から明らかにされる。
【発明の効果】
【０００９】
本発明に係るロボットシステムによれば、システムのコストを低減し、メンテナンス作業を容易にすることができる。
【図面の簡単な説明】
【００１０】
【図１】図１は、本実施の形態１に係るロボットシステムの概略構成を示す模式図である。
【図２】図２は、本実施の形態１に係るロボットシステムの動作の一例を示すフローチャートである。
【図３】図３は、本実施の形態１における変形例１のロボットシステムの概略構成を示す模式図である。
【図４Ａ】図４Ａは、本実施の形態１における変形例１のロボットシステムの動作の一例を示すフローチャートである。
【図４Ｂ】図４Ｂは、本実施の形態１における変形例１のロボットシステムの動作の一例を示すフローチャートである。
【図５】図５は、本実施の形態２に係るロボットシステムの概略構成を示す模式図である。
【図６】図６は、本実施の形態２における変形例１のロボットシステムの概略構成を示す模式図である。
【図７】図７は、本実施の形態３に係るロボットシステムの概略構成を示す模式図である。
【図８Ａ】図８Ａは、本実施の形態３に係るロボットシステムの動作の一例を示すフローチャートである。
【図８Ｂ】図８Ｂは、本実施の形態３に係るロボットシステムの動作の一例を示すフローチャートである。
【図８Ｃ】図８Ｃは、本実施の形態３に係るロボットシステムの動作の一例を示すフローチャートである。
【図９Ａ】図９Ａは、本実施の形態３に係るロボットシステムの動作の他の例を示すフローチャートである。
【図９Ｂ】図９Ｂは、本実施の形態３に係るロボットシステムの動作の他の例を示すフローチャートである。
【図９Ｃ】図９Ｃは、本実施の形態３に係るロボットシステムの動作の他の例を示すフローチャートである。
【図１０】図１０は、本実施の形態４に係るロボットシステムの概略構成を示す模式図である。
【図１１Ａ】図１１Ａは、本実施の形態４に係るロボットシステムの動作の一例を示すフローチャートである。
【図１１Ｂ】図１１Ｂは、本実施の形態４に係るロボットシステムの動作の一例を示すフローチャートである。
【図１１Ｃ】図１１Ｃは、本実施の形態４に係るロボットシステムの動作の一例を示すフローチャートである。
【図１２】図１２は、本実施の形態５に係るロボットシステムの概略構成を示す模式図である。
【図１３Ａ】図１３Ａは、本実施の形態５に係るロボットシステムの動作の一例を示すフローチャートである。
【図１３Ｂ】図１３Ｂは、本実施の形態５に係るロボットシステムの動作の一例を示すフローチャートである。
【図１３Ｃ】図１３Ｃは、本実施の形態５に係るロボットシステムの動作の一例を示すフローチャートである。
【図１４】図１４は、本実施の形態６に係るロボットシステムの概略構成を示す模式図である。
【発明を実施するための形態】
【００１１】
以下、本発明の好ましい実施の形態を、図面を参照しながら説明する。なお、以下では全ての図を通じて同一又は相当する要素には同一の参照符号を付して、その重複する説明を省略する。また、全ての図面において、本発明を説明するために必要となる構成要素を抜粋して図示しており、その他の構成要素については図示を省略している場合がある。さらに、本発明は以下の実施の形態に限定されない。
【００１２】
（実施の形態１）
本実施の形態１に係るロボットシステムは、塗料供給源と、送出器と、塗装用ロボットと、塗料供給源から送出器を経て塗装用ロボットと接続され、その一部が非防爆エリアに位置するように配置されている流路と、流路に配置され、当該流路を通流する塗料の流量を検出するように構成されている、非接触型流量計と、を備え、塗料供給源、送出器、及び塗装用ロボットは、防爆エリアに配置され、非接触型流量計は、非防爆エリアに配置されている。
【００１３】
また、本実施の形態１に係るロボットシステムでは、流路は、送出器と塗装用ロボットを接続する第１流路を有し、非接触型流量計は、第１流路を構成し、非防爆エリアに配置されている第１配管に配設されていてもよい。
【００１４】
また、本実施の形態１に係るロボットシステムでは、非防爆エリアに配置されている配管は、金属で構成されていてもよい。
【００１５】
さらに、本実施の形態１に係るロボットシステムでは、制御装置をさらに備え、制御装置は、非接触型流量計が検出した塗料の流量が入力され、かつ、送出器の動作を制御するように構成されていて、制御装置は、非接触型流量計が検出した塗料の流量と、送出器の動作の有無と、を基に、流路に異常が発生しているか否かを判定するように構成されていてもよい。
【００１６】
以下、本実施の形態１に係るロボットシステムの一例について、図１及び図２を参照しながら詳細に説明する。
【００１７】
［ロボットシステムの構成］
図１は、本実施の形態１に係るロボットシステムの概略構成を示す模式図である。
【００１８】
図１に示すように、本実施の形態１に係るロボットシステム１００は、塗料供給源１０、送出器２０、塗装用ロボット３０、流路４０、及び非接触型流量計５０を備えていて、塗料供給源１０、塗装用ロボット３０、及び送出器２０は、防爆エリア１０２に配置され、非接触型流量計５０は、非防爆エリア１０３に配置されている。
【００１９】
より詳細には、塗料供給源１０が、第１防爆エリア１０２Ｃに配置されていて、塗装用ロボット３０及び送出器２０が、第２防爆エリア１０２Ｂに配置されている。なお、塗料供給源１０が、第２防爆エリア１０２Ｂに配置されていてもよい。また、第１防爆エリア１０２Ｃ及び第２防爆エリア１０２Ｂを区別しない場合には、これらのエリアを防爆エリア１０２と称する場合がある。
【００２０】
防爆エリア１０２と非防爆エリア１０３は、ブース壁１０１により隔離されている。具体的には、第２防爆エリア１０２Ｂと非防爆エリア１０３は、ブース壁１０１Ａにより隔離されている。また、第１防爆エリア１０２Ｃと非防爆エリア１０３は、ブース壁１０１Ｂにより隔離されている。なお、ブース壁１０１Ａ及びブース壁１０１Ｂを区別しない場合には、これらの壁をブース壁１０１と称する場合がある。
【００２１】
ブース壁１０１は、防爆エリア１０２で揮発した可燃性物質（可燃性ガス）及び／又は支燃性物質（支燃性ガス）が、非防爆エリア１０３に流入しないように構成されている。
【００２２】
塗料供給源１０には、塗料が貯蔵されていて、流路４０を介して、塗装用ロボット３０と接続されている。塗装用ロボット３０は、塗装ガンを保持していれば、どのような態様であってもよい。塗装用ロボット３０としては、例えば、垂直多関節型ロボットで構成されていてもよく、水平多関節型ロボットで構成されていてもよい。
【００２３】
流路４０の途中には、切替器６０、送出器２０、及び非接触型流量計５０が配置されている。切替器６０は、塗料供給源１０と送出器２０の間に配置されていて、非接触型流量計５０は、送出器２０と塗装用ロボット３０との間に配置されている。
【００２４】
なお、送出器２０と塗装用ロボット３０の間を接続する流路を第１流路４１と称し、塗料供給源１０と送出器２０の間を接続する流路を第２流路４２と称する。また、第１流路４１を構成する配管のうち、非防爆エリア１０３に配置されている配管を第１配管４１Ａと称し、防爆エリア１０２（第２防爆エリア１０２Ｂ）に配置されている配管を配管４１Ｂと称する。同様に、第２流路４２を構成する配管のうち、非防爆エリア１０３に配置されている配管を第２配管４２Ａと称し、第２非防爆エリア１０２Ｂに配置されている配管を配管４２Ｂと称し、第１防爆エリア１０２Ｃに配置されている配管を配管４２Ｃと称する。
【００２５】
非防爆エリア１０３に配置されている第１配管４１Ａと防爆エリア１０２に配置されている配管４１Ｂ、及び非防爆エリア１０３に配置されている第２配管４２Ａと防爆エリア１０２に配置されている配管４２Ｂ、４２Ｃは、それぞれ、継手８０により、接続されている。また、第１配管４１Ａと第２配管４２Ａは、それぞれ、例えば、１つの配管で構成されていてもよく、金属配管（鋼管）で構成されていてもよい。さらに、第１配管４１Ａと第２配管４２Ａは、それぞれ、非金属（例えば、塩化ビニル等のプラスチック、繊維強化プラスチック）で構成されていてもよい。
【００２６】
なお、第１配管４１Ａは、以下のようにして、非防爆エリア１０３に設置してもよい。板状の隔壁部材８１に第１配管４１Ａと継手８０を設置し、当該隔壁部材８１を適宜な部材（ボルトとナット等）により、ブース壁１０１の開口に取り付ける。そして、防爆エリア１０２（第２防爆エリア１０２Ｂ）に配置されている配管４１Ｂを継手８０に固定することで、第１配管４１Ａと配管４１Ｂとを接続する。
【００２７】
切替器６０は、例えば、二方弁（開閉弁）であってもよく、空気圧に応じて、弁体が開閉動作するように構成されている開閉弁であってもよい。送出器２０は、例えば、ギアポンプで構成されていてもよい。また、送出器２０は、プランジャーポンプとギアポンプで構成されていてもよい。この場合、プランジャーポンプが、第１防爆エリア１０２Ｃに配置されていてもよく、ギアポンプが、第２防爆エリア１０２Ｂに配置されていてもよい。
【００２８】
なお、切替器６０及び送出器２０は、後述する制御装置７０により、その駆動が制御されるように構成されている。また、切替器６０及び送出器２０は、防爆エリア１０２（ここでは、第２防爆エリア１０２Ｂ）に配置されている。
【００２９】
送出器２０は、可燃性物質及び／又は支燃性物質である、塗料及び／又は有機溶剤を送出させるため、揮発して、送出器２０外に流出するおそれがあるため、防爆エリア１０２に配置されている。
【００３０】
なお、送出器２０は、ポンプの動力源（例えば、モータ）を被防爆エリア１０３に配置してもよく、防爆エリア１０２に配置してもよい。また、送出器２０は、ポンプ機構（例えば、プランジャー、歯車等の往復機構、回転機構）を防爆エリア１０２に配置してもよい。
【００３１】
非接触型流量計５０は、例えば、超音波流量計で構成されていてもよく、電磁式流量計で構成されていてもよい。また、非接触型流量計５０は、流路４０（本実施の形態１においては、第１配管４１Ａ）を通流する流体（塗料及び／又は有機溶剤）の流量を検出し、検出した流量を制御装置７０に出力するように構成されている。さらに、非接触型流量計５０は、非防爆エリア１０３に配置されている、第１配管４１Ａの外部に配設されていて、第１配管４１Ａを通流する流体と接触することなく、流体の流量を検出することができる。
【００３２】
また、塗装用ロボット３０（ロボットシステム１００）は、制御装置７０を有している。なお、制御装置７０は、防爆エリア１０２に配置されていてもよく、非防爆エリア１０３に配置されていてもよい。
【００３３】
制御装置７０は、マイクロプロセッサ、ＣＰＵ等の演算器と、ＲＯＭ、ＲＡＭ等の記憶器と、入力器と、を備えている（いずれも図示せず）。演算器は、記憶器に記憶された基本プログラム等のソフトウェアを読み出して実行することにより、塗装用ロボット３０等のロボットシステム１００を構成する各機器の各種動作を制御するように構成されている。
【００３４】
記憶器には、基本プログラム、各種データを読み出し可能に記憶するものであり、記憶器としては、公知のメモリ、ハードディスク等の記憶装置等で構成される。記憶器は、単一である必要はなく、複数の記憶装置（例えば、ランダムアクセスメモリ及びハードディスクドライブ）として構成されてもよい。制御装置７０等がマイクロコンピュータで構成されている場合には、記憶器の少なくとも一部が、マイクロコンピュータの内部メモリとして構成されていてもよいし、独立したメモリとして構成されていてもよい。
【００３５】
なお、記憶器には、データが記憶され、制御装置７０以外からデータの読み出しが可能となっていてもよいし、制御装置７０等からデータの書き込みが可能になっていてもよいことはいうまでもない。
【００３６】
入力器は、制御装置７０（演算器）に対して、ロボットシステム１００の制御に関する各種パラメータ、あるいはその他のデータ等を入力可能とするものであり、キーボード、タッチパネル、ボタンスイッチ群等の公知の入力装置で構成されている。
【００３７】
なお、制御装置７０は、集中制御する単独の制御装置７０によって構成されていてもよいし、互いに協働して分散制御する複数の制御装置７０によって構成されていてもよい。また、制御装置７０は、マイクロコンピュータで構成されていてもよく、ＭＰＵ、ＰＬＣ(Ｐｒｏｇｒａｍｍａｂｌｅ  Ｌｏｇｉｃ  Ｃｏｎｔｒｏｌｌｅｒ)、論理回路等によって構成されていてもよい。
【００３８】
［ロボットシステムの動作及び作用効果］
次に、本実施の形態１に係るロボットシステム１００の動作及び作用効果について、図１及び図２を参照しながら、説明する。
【００３９】
図２は、本実施の形態１に係るロボットシステムの動作の一例を示すフローチャートである。なお、以下の動作は、制御装置７０の演算器が、記憶器に格納されている所定のプログラムを読み出すことにより、実行される。
【００４０】
図２に示すように、制御装置７０は、送出器２０及び切替器６０が動作中であるか否かを判定する（ステップＳ１０１）。なお、切替器６０が動作中とは、弁体を開放して、塗料が流路４０を通流できる状態にしていることをいう。
【００４１】
制御装置７０は、送出器２０及び切替器６０が動作中ではないと判定した場合（ステップＳ１０１でＮｏ）には、送出器２０及び切替器６０が停止中であると考えられる。この場合、非接触型流量計５０が塗料の流量を検出することはないので、制御装置７０は、例えば、５０ｍｓｅｃ後に再び、ステップＳ１０１の処理を実行する。
【００４２】
なお、制御装置７０は、送出器２０及び切替器６０が動作中ではないと判定した場合（ステップＳ１０１でＮｏ）に、非接触型流量計５０が塗料の流量を検出した場合には、送出器２０及び／又は非接触型流量計５０が異常である（故障している）と判定してもよい。
【００４３】
一方、制御装置７０は、送出器２０及び切替器６０が動作中であると判定した場合（ステップＳ１０１でＹｅｓ）には、非接触型流量計５０から、当該非接触型流量計５０が検出した塗料の流量を取得する（ステップＳ１０２）。
【００４４】
次に、制御装置７０は、ステップＳ１０２で取得した流量が、第１閾値であるか否かを判定する（ステップＳ１０３）。ここで、第１閾値は、作業者が、入力器を介して、演算部に入力した、送出器２０が送出する塗料の流量（又は塗装ガンから吐出される塗料の吐出量）であってもよい。また、第１閾値は、前記塗料の流量に流路の圧損、非接触型流量計５０の精度等を考慮した値、例えば、前記塗料の流量に対して、９５％〜１０５％の間の任意の値であってもよい。
【００４５】
制御装置７０は、ステップＳ１０２で取得した流量が、第１閾値であると判定した場合（ステップＳ１０３でＹｅｓ）には、ロボットシステム１００は正常であると判定し（ステップＳ１０４）、例えば、５０ｍｓｅｃ後に再び、ステップＳ１０１の処理を実行する。
【００４６】
一方、制御装置７０は、ステップＳ１０２で取得した流量が、第１閾値ではないと判定した場合（ステップＳ１０３でＮｏ）には、ロボットシステム１００は異常であると判定し（ステップＳ１０５）、報知器（図示せず）に、ロボットシステム１００の異常を報知させ（ステップＳ１０６）、本プログラムを終了する。
【００４７】
なお、ロボットシステム１００の異常としては、送出器２０、非接触型流量計５０、及び切替器６０のうち、少なくとも１つの機器の故障、及び／又は流路４０から塗料の漏れ等が挙げられる。
【００４８】
制御装置７０は、例えば、ステップＳ１０２で取得した流量が、第１閾値より大きい場合には、送出器２０及び／又は非接触型流量計５０の故障と判定してもよい。また、制御装置７０は、例えば、ステップＳ１０２で取得した流量が、第１閾値より小さい場合には、切替器６０及び／又は流路４０から塗料の漏れ・詰まりの異常が発生していると判定してもよい。
【００４９】
また、報知器による報知の方法としては、表示装置（画面）に、文字データ又は画像データ等を表示させる態様であってもよく、スピーカー又はサイレン等により音声で知らせる態様であってもよく、ランプ等により、光又は色で知らせるような態様であってもよい。また、通信ネットワークを介してスマートフォン、携帯電話、又はタブレット型コンピュータ等にメール又はアプリで知らせる態様であってもよい。
【００５０】
このように構成された、本実施の形態１に係るロボットシステム１００では、非接触型流量計５０が、非防爆エリア１０３に配設されている。すなわち、流量計を非接触型の流量計を選択することにより、流量計から塗料及び／又は有機溶剤が流出するおそれがないため、非防爆エリア１０３に配設することができる。
【００５１】
また、流量計を非接触型の流量計を選択することにより、防爆仕様を施す必要がなく、ロボットシステム１００の高コスト化を抑止することができる。
【００５２】
さらに、非接触型流量計５０が、非防爆エリア１０３に配置されているので、メンテナンス作業を容易に実行することができる。
【００５３】
また、本実施の形態１に係るロボットシステム１００では、第１配管４１Ａと継手８０が設置されている、隔壁部材８１をブース壁１０１に設けられた開口に取り付けることで、容易に第１配管４１Ａを非防爆エリア１０３に設置することができる。このため、既存の塗装ライン等の設備に非接触型流量計５０を容易に設置することができる。
【００５４】
［変形例１］
次に、本実施の形態１に係るロボットシステムの変形例について、図３、図４Ａ、及び図４Ｂを参照しながら、説明する。
【００５５】
［ロボットシステムの構成］
図３は、本実施の形態１における変形例１のロボットシステムの概略構成を示す模式図である。
【００５６】
図３に示すように、本変形例１のロボットシステム１００は、実施の形態１に係るロボットシステム１００と基本的構成は同じであるが、切替器６０と塗料供給源１０とを接続する第３流路４３が設けられている点と、２つの送出器（第１送出器２０Ａ及び第２送出器２０Ｂ）が設けられている点と、が異なる。
【００５７】
なお、第３流路４３を構成する配管のうち、非防爆エリア１０３に配置されている配管を第３配管４３Ａと称し、第２防爆エリア１０２Ｂに配置されている配管を配管４３Ｂと称し、第１防爆エリア１０２Ｃに配置されている配管を配管４３Ｃと称する。
【００５８】
また、切替器６０は、本変形例１においては、三方弁で構成されていてもよく、配管４２Ｂ及び配管４３Ｂのそれぞれに配置されている、二方弁で構成されていてもよい。
【００５９】
なお、切替器６０が、三方弁で構成されている場合に、当該三方弁は、第２配管４２Ａを通流した塗料が、第１流路４１側のみ、又は第３流路４３側のみに通流するように構成されていてもよい。また、当該三方弁は、第２配管４２Ａを通流した塗料が、所定の割合で、第１流路４１及び第３流路４３の両方に塗料が通流するように構成されていてもよい。ここで、所定の割合としては、第１流路４１側に７５〜９５％の割合で通流し、第３流路４３側に５〜２５％の割合で通流するようにしてもよい。
【００６０】
第１送出器２０Ａは、塗料を塗装用ロボット３０の塗装ガンに送出するように構成されていて、例えば、ギアポンプで構成されていてもよい。また、第２送出器２０Ｂは、塗料を循環させるように構成されていて、プランジャーポンプで構成されていてもよい。
【００６１】
具体的には、第１送出器２０Ａは、配管４２Ｂの切替器６０よりも下流側の部分に配設されている。第２送出器２０Ｂは、配管４２Ｃに配設されている。なお、第２送出器２０Ｂは、配管４３Ｃに配設されていてもよい。
【００６２】
［ロボットシステムの動作及び作用効果］
次に、本変形例１のロボットシステム１００の動作及び作用効果について、図３、図４Ａ、及び図４Ｂを参照しながら、説明する。
【００６３】
図４Ａ及び図４Ｂは、本実施の形態１における変形例１のロボットシステムの動作の一例を示すフローチャートである。なお、以下の動作は、制御装置７０の演算器が、記憶器に格納されている所定のプログラムを読み出すことにより、実行される。
【００６４】
図４Ａ及び図４Ｂに示すように、制御装置７０は、第１送出器２０Ａ、第２送出器２０Ｂ、及び切替器６０が動作中であるか否かを判定する（ステップＳ２０１）。なお、ステップＳ２０１において、切替器６０が動作中とは、塗料が第２流路４２から第１流路４１を通流するように、作動していることをいう。例えば、切替器６０が三方弁で構成されている場合、塗料が配管４２Ｂを通流するようにポートを接続している状態をいう。
【００６５】
制御装置７０は、第１送出器２０Ａ、第２送出器２０Ｂ、及び切替器６０が動作中ではないと判定した場合（ステップＳ２０１でＮｏ）には、ステップＳ２０７の処理を実行する。なお、ステップＳ２０７の処理については、後述する。
【００６６】
一方、制御装置７０は、第１送出器２０Ａ、第２送出器２０Ｂ、及び切替器６０が動作中であると判定した場合（ステップＳ２０１でＹｅｓ）には、非接触型流量計５０から、当該非接触型流量計５０が検出した塗料の流量を取得する（ステップＳ２０２）。
【００６７】
次に、制御装置７０は、ステップＳ２０２で取得した流量が、第１閾値であるか否かを判定する（ステップＳ２０３）。ここで、第１閾値は、作業者が、入力器を介して、演算部に入力した、第１送出器２０Ａが送出する塗料の流量（又は塗装ガンから吐出される塗料の吐出量）であってもよい。また、第１閾値は、前記塗料の流量に流路の圧損、非接触型流量計５０の精度等を考慮した値、例えば、前記塗料の流量に対して、９５％〜１０５％の間の任意の値であってもよい。
【００６８】
制御装置７０は、ステップＳ２０２で取得した流量が、第１閾値であると判定した場合（ステップＳ２０３でＹｅｓ）には、ロボットシステム１００は正常であると判定し（ステップＳ２０４）、例えば、５０ｍｓｅｃ後に再び、ステップＳ２０１の処理を実行する。
【００６９】
一方、制御装置７０は、ステップＳ２０２で取得した流量が、第１閾値ではないと判定した場合（ステップＳ２０３でＮｏ）には、ロボットシステム１００は異常であると判定し（ステップＳ２０５）、報知器（図示せず）に、ロボットシステム１００の異常を報知させ（ステップＳ２０６）、本プログラムを終了する。
【００７０】
また、制御装置７０は、第１送出器２０Ａ、第２送出器２０Ｂ、及び切替器６０が動作中ではないと判定した場合（ステップＳ２０１でＮｏ）には、第１送出器２０Ａが停止中、かつ、第２送出器２０Ｂ及び切替器６０が動作中であるか否かを判定する（ステップＳ２０７；図４Ｂ参照）。
【００７１】
なお、ステップＳ２０７において、切替器６０が動作中とは、塗料が第２流路４２から第３流路４３を通流するように、作動していることをいう。例えば、切替器６０が三方弁で構成されている場合、塗料が配管４２Ｂから配管４３Ｂを通流するようにポートを接続している状態をいう。
【００７２】
制御装置７０は、第１送出器２０Ａが停止中、かつ、第２送出器２０Ｂ及び切替器６０が動作中ではないと判定した場合（ステップＳ２０７でＮｏ）には、第１送出器２０Ａ、第２送出器２０Ｂ、及び切替器６０が停止中であると考えられる。この場合、非接触型流量計５０が塗料の流量を検出することはないと考えられるので、制御装置７０は、例えば、５０ｍｓｅｃ後に再び、ステップＳ２０１の処理を実行する。
【００７３】
なお、制御装置７０は、第１送出器２０Ａが停止中、かつ、第２送出器２０Ｂ及び切替器６０が動作中ではないと判定した場合（ステップＳ２０７でＮｏ）に、非接触型流量計５０が塗料の流量を検出した場合には、第１送出器２０Ａ、第２送出器２０Ｂ、及び非接触型流量計５０のうち、少なくとも１つ以上の機器が異常である（故障している）と判定してもよい。
【００７４】
一方、制御装置７０は、第１送出器２０Ａが停止中、かつ、第２送出器２０Ｂ及び切替器６０が動作中であると判定した場合（ステップＳ２０７でＹｅｓ）には、非接触型流量計５０から、当該非接触型流量計５０が検出した塗料の流量を取得する（ステップＳ２０８）。
【００７５】
次に、制御装置７０は、ステップＳ２０８で取得した流量が、第２閾値以下であるか否かを判定する（ステップＳ２０９）。
【００７６】
ところで、第１送出器２０Ａが停止中、かつ、第２送出器２０Ｂ及び切替器６０が動作中である場合には、塗料は、塗料供給源１０から切替器６０に向けて、第２配管４２Ａ及び配管４２Ｂを通流して、配管４３Ｂ及び第３配管４３Ａを通流して、塗料供給源１０に戻る。すなわち、塗料供給源１０と切替器６０の間の流路を循環することになる。このため、ロボットシステム１００が正常である場合には、非接触型流量計５０が流量を検出することはない。したがって、第２閾値は、０であってもよい。
【００７７】
制御装置７０は、ステップＳ２０８で取得した流量が、第２閾値以下であると判定した場合（ステップＳ２０９でＹｅｓ）には、ロボットシステム１００は正常であると判定し（ステップＳ２１０）、例えば、５０ｍｓｅｃ後に再び、ステップＳ２０１の処理を実行する。
【００７８】
一方、制御装置７０は、ステップＳ２０８で取得した流量が、第２閾値より大きいと判定した場合（ステップＳ２０９でＮｏ）には、ロボットシステム１００は異常である（ロボットシステム１００に異常が発生している）と判定し（ステップＳ２１１）、報知器（図示せず）に、ロボットシステム１００の異常を報知させ（ステップＳ２１２）、本プログラムを終了する。
【００７９】
このように構成された、本変形例１のロボットシステム１００であっても、実施の形態１に係るロボットシステム１００と同様の作用効果を奏する。
【００８０】
（実施の形態２）
本実施の形態２に係るロボットシステムは、実施の形態１に係るロボットシステムにおいて、流路が、塗料供給源と送出器を接続する第２流路を有し、非接触型流量計は、第２流路を構成し、非防爆エリアに配置されている第２配管に配設されている。
【００８１】
また、本実施の形態２に係るロボットシステムでは、制御装置をさらに備え、制御装置は、非接触型流量計が検出した塗料の流量が入力され、かつ、送出器の動作を制御するように構成されていて、制御装置は、非接触型流量計が検出した塗料の流量と、送出器の動作の有無と、を基に、流路に異常が発生しているか否かを判定するように構成されていてもよい。
【００８２】
以下、本実施の形態２に係るロボットシステムの一例について、図５を参照しながら詳細に説明する。なお、本実施の形態２に係るロボットシステムの動作は、実施の形態１に係るロボットシステム１００と同様に実行されるため、その詳細な説明は省略する。
【００８３】
［ロボットシステムの構成］
図５は、本実施の形態２に係るロボットシステムの概略構成を示す模式図である。
【００８４】
図５に示すように、本実施の形態２に係るロボットシステム１００は、実施の形態１に係るロボットシステム１００と基本的構成は同じであるが、第１流路４１に第１配管４１Ａが配置されていない点と、非接触型流量計５０が、第２配管４２Ａに配置されている点が異なる。
【００８５】
このように構成された、本実施の形態２に係るロボットシステム１００であっても、実施の形態１に係るロボットシステム１００と同様の作用効果を奏する。
【００８６】
［変形例１］
次に、本実施の形態２に係るロボットシステムの変形例について、図６を参照しながら、説明する。なお、本実施の形態２における変形例１のロボットシステムの動作は、実施の形態１における変形例１のロボットシステム１００と同様に実行されるため、その詳細な説明は省略する。
【００８７】
［ロボットシステムの構成］
図６は、本実施の形態２における変形例１のロボットシステムの概略構成を示す模式図である。
【００８８】
図６に示すように、本変形例１のロボットシステム１００は、実施の形態２に係るロボットシステム１００と基本的構成は同じであるが、切替器６０と塗料供給源１０とを接続する第３流路４３が設けられている点と、２つの送出器（第１送出器２０Ａ及び第２送出器２０Ｂ）が設けられている点と、が異なる。
【００８９】
なお、第３流路４３を構成する配管のうち、非防爆エリア１０３に配置されている配管を第３配管４３Ａと称し、第２防爆エリア１０２Ｂに配置されている配管を配管４３Ｂと称し、第１防爆エリア１０２Ｃに配置されている配管を配管４３Ｃと称する。
【００９０】
また、切替器６０は、本変形例１においては、三方弁で構成されていてもよく、配管４２Ｂ及び配管４３Ｂのそれぞれに配置されている、二方弁で構成されていてもよい。
【００９１】
なお、切替器６０が、三方弁で構成されている場合に、当該三方弁は、第２配管４２Ａを通流した塗料が、第１流路４１側のみ、又は第３流路４３側のみに通流するように構成されていてもよい。また、当該三方弁は、第２配管４２Ａを通流した塗料が、所定の割合で、第１流路４１及び第３流路４３の両方に塗料が通流するように構成されていてもよい。ここで、所定の割合としては、第１流路４１側に７５〜９５％の割合で通流し、第３流路４３側に５〜２５％の割合で通流するようにしてもよい。
【００９２】
第１送出器２０Ａは、塗料を塗装用ロボット３０の塗装ガンに送出するように構成されていて、例えば、ギアポンプで構成されていてもよい。また、第２送出器２０Ｂは、塗料を循環させるように構成されていて、プランジャーポンプで構成されていてもよい。
【００９３】
具体的には、第１送出器２０Ａは、配管４２Ｂの切替器６０よりも下流側の部分に配設されている。第２送出器２０Ｂは、配管４２Ｃに配設されている。なお、第２送出器２０Ｂは、配管４３Ｃに配設されていてもよい。
【００９４】
このように構成された、変形例１のロボットシステム１００であっても、実施の形態１に係るロボットシステム１００と同様の作用効果を奏する。
【００９５】
（実施の形態３）
本実施の形態３に係るロボットシステムは、実施の形態１又は実施の形態２に係るロボットシステムにおいて、流路が、塗料供給源と送出器を接続する第２流路を有し、非接触型流量計は、第２流路を構成し、非防爆エリアに配置されている第２配管に配設されている。
【００９６】
また、本実施の形態３に係るロボットシステムでは、流路が、塗料供給源と送出器を接続する第２流路と、第３流路と、を有し、第２流路の途中には、切替器が配設されていて、第３流路は、切替器と塗料供給源を接続するように構成されていて、非接触型流量計は、第３流路を構成し、非防爆エリアに配置されている第３配管に配設されていてもよい。
【００９７】
また、本実施の形態３に係るロボットシステムでは、流路が、送出器と塗装用ロボットを接続する第１流路と、塗料供給源と送出器を接続する第２流路と、第３流路と、を有し、第２流路の途中には、切替器が配設されていて、第３流路は、切替器と塗料供給源を接続するように構成されていて、非接触型流量計は、第１流路を構成し、非防爆エリアに配置されている第１配管、第２流路を構成し、非防爆エリアに配置されている第２配管、及び第３流路を構成し、非防爆エリアに配置されている第３配管のうち、少なくとも２つの配管に配設されていてもよい。
【００９８】
また、本実施の形態３に係るロボットシステムでは、流路が、送出器と塗装用ロボットを接続する第１流路と、塗料供給源と送出器を接続する第２流路と、第３流路と、を有し、第２流路の途中には、切替器が配設されていて、第３流路は、切替器と塗料供給源を接続するように構成されていて、非接触型流量計は、第２流路を構成し、非防爆エリアに配置されている第２配管、及び第３流路を構成し、非防爆エリアに配置されている第３配管のそれぞれに配設されていてもよい。
【００９９】
さらに、本実施の形態３に係るロボットシステムでは、制御装置をさらに備え、制御装置は、非接触型流量計が検出した塗料の流量が入力され、かつ、送出器の動作を制御するように構成されていて、制御装置は、非接触型流量計が検出した塗料の流量と、送出器の動作の有無と、を基に、流路に異常が発生しているか否かを判定するように構成されていてもよい。
【０１００】
以下、本実施の形態３に係るロボットシステムの一例について、図７〜図９Ｃを参照しながら詳細に説明する。
【０１０１】
［ロボットシステムの構成］
図７は、本実施の形態３に係るロボットシステムの概略構成を示す模式図である。
【０１０２】
図７に示すように、本実施の形態３に係るロボットシステム１００は、実施の形態１に係るロボットシステム１００と基本的構成は同じであるが、切替器６０と塗料供給源１０とを接続する第３流路４３が設けられている点と、２つの送出器（第１送出器２０Ａ及び第２送出器２０Ｂ）が設けられている点と、２つの非接触型流量計５０（第２非接触型流量計５０Ｂ及び第３非接触型流量計５０Ｃ）が設けられている点と、が異なる。
【０１０３】
なお、第３流路４３を構成する配管のうち、非防爆エリア１０３に配置されている配管を第３配管４３Ａと称し、第２防爆エリア１０２Ｂに配置されている配管を配管４３Ｂと称し、第１防爆エリア１０２Ｃに配置されている配管を配管４３Ｃと称する。
【０１０４】
また、切替器６０は、本実施の形態３においては、三方弁で構成されていてもよく、配管４２Ｂ及び配管４３Ｂのそれぞれに配置されている、二方弁で構成されていてもよい。
【０１０５】
第１送出器２０Ａは、塗料を塗装用ロボット３０の塗装ガンに送出するように構成されていて、例えば、ギアポンプで構成されていてもよい。また、第２送出器２０Ｂは、塗料を循環させるように構成されていて、プランジャーポンプで構成されていてもよい。
【０１０６】
具体的には、第１送出器２０Ａは、配管４２Ｂの切替器６０よりも下流側の部分に配設されている。第２送出器２０Ｂは、配管４２Ｃに配設されている。なお、第２送出器２０Ｂは、配管４３Ｃに配設されていてもよい。
【０１０７】
第２非接触型流量計５０Ｂは、第２配管４２Ａに配置されていて、第３非接触型流量計５０Ｃは、第３配管４３Ａに配置されている。第２非接触型流量計５０Ｂ及び第３非接触型流量計５０Ｃは、同じ種類の非接触型流量計（例えば、超音波流量計）で構成されていてもよく、異なる種類の非接触型流量計（例えば、超音波流量計と電磁式流量計）で構成されていてもよい。
【０１０８】
［ロボットシステムの動作及び作用効果］
次に、本実施の形態３に係るロボットシステム１００の動作及び作用効果について、図７〜図９Ｃを参照しながら、説明する。
【０１０９】
図８Ａ〜図８Ｃは、本実施の形態３に係るロボットシステムの動作の一例を示すフローチャートである。図９Ａ〜図９Ｃは、本実施の形態３に係るロボットシステムの動作の他の例を示すフローチャートである。なお、以下の動作は、制御装置７０の演算器が、記憶器に格納されている所定のプログラムを読み出すことにより、実行される。
【０１１０】
まず、本実施の形態３に係るロボットシステムの動作の一例について、図８Ａ〜図８Ｃを参照しながら、説明する。
【０１１１】
図８Ａ〜図８Ｃに示すように、制御装置７０は、第１送出器２０Ａ、第２送出器２０Ｂ、及び切替器６０が動作中であるか否かを判定する（ステップＳ３０１）。なお、ステップＳ３０１において、切替器６０が動作中とは、塗料が第２流路４２から第１流路４１を通流するように、作動していることをいう。例えば、切替器６０が三方弁で構成されている場合、塗料が配管４２Ｂを通流するようにポートを接続している状態をいう。
【０１１２】
制御装置７０は、第１送出器２０Ａ、第２送出器２０Ｂ、及び切替器６０が動作中ではないと判定した場合（ステップＳ３０１でＮｏ）には、ステップＳ３１１の処理を実行する。なお、ステップＳ３１１の処理については、後述する。
【０１１３】
一方、制御装置７０は、第１送出器２０Ａ、第２送出器２０Ｂ、及び切替器６０が動作中であると判定した場合（ステップＳ３０１でＹｅｓ）には、第２非接触型流量計５０Ｂから、当該第２非接触型流量計５０Ｂが検出した塗料の流量（以下、第２流量Ｂと称する）を取得する（ステップＳ３０２）。
【０１１４】
次に、制御装置７０は、ステップＳ３０２で取得した第２流量Ｂが、第１閾値であるか否かを判定する（ステップＳ３０３）。ここで、第１閾値は、作業者が、入力器を介して、演算部に入力した、第１送出器２０Ａが送出する塗料の流量（又は塗装ガンから吐出される塗料の吐出量）であってもよい。また、第１閾値は、前記塗料の流量に流路の圧損、非接触型流量計５０の精度等を考慮した値、例えば、前記塗料の流量に対して、９５％〜１０５％の間の任意の値であってもよい。
【０１１５】
制御装置７０は、ステップＳ３０２で取得した第２流量Ｂが、第１閾値であると判定した場合（ステップＳ３０３でＹｅｓ）には、ロボットシステム１００は正常であると判定し（ステップＳ３０４）、例えば、５０ｍｓｅｃ後に再び、ステップＳ３０１の処理を実行する。
【０１１６】
一方、制御装置７０は、ステップＳ３０２で取得した第２流量Ｂが、第１閾値ではないと判定した場合（ステップＳ３０３でＮｏ）には、第３非接触型流量計５０Ｃから、当該第３非接触型流量計５０Ｃが検出した塗料の流量（以下、第３流量Ｃと称する）を取得する（ステップＳ３０５；図８Ｂ参照）。
【０１１７】
なお、制御装置７０は、ステップＳ３０３において、ステップＳ３０２で取得した第２流量Ｂが第１閾値よりも大きい場合には、第１送出器２０Ａ、第２送出器２０Ｂ及び第２非接触型流量計５０Ｂのうち、少なくとも１つの機器の故障（異常）であると判定し、ロボットシステム１００の異常を報知させてもよい。
【０１１８】
次に、制御装置７０は、ステップＳ３０５で取得した第３流量Ｃが、第２閾値以下であるか否かを判定する（ステップＳ３０６）。
【０１１９】
制御装置７０は、ステップＳ３０５で取得した第３流量Ｃが、第２閾値以下であると判定した場合（ステップＳ３０６でＹｅｓ）には、切替器６０、第１流路４１、及び第２流路４２のうち、少なくとも１つの部材（機器、配管）で、詰まりが発生していると判定し（ステップＳ３０７）、報知器（図示せず）に、ロボットシステム１００の異常を報知させ（ステップＳ３０８）、本プログラムを終了する。
【０１２０】
なお、ステップＳ３０７で、制御装置７０が、詰まりが発生していると判定するのは、以下の理由からである。第３非接触型流量計５０Ｃで検出した流量（第３流量Ｃ）が、第２閾値以下であることから、塗料は、第３流路４３を通流していない。一方、第２非接触型流量計５０Ｂで検出した流量（第２流量Ｂ）が第１閾値ではないことから、塗料は、第１流路４１及び第２流路４２を通流しているが、その流量が第１閾値ではない（第１閾値未満である）ため、切替器６０、第１流路４１、及び第２流路４２のうち、少なくとも１つの部材で詰まりが発生していると考えられるからである。
【０１２１】
一方、制御装置７０は、ステップＳ３０５で取得した第３流量Ｃが、第２閾値より大きいと判定した場合（ステップＳ３０６でＮｏ）には、切替器６０から塗料がリークしていると判定し（ステップＳ３０９）、報知器（図示せず）に、ロボットシステム１００の異常を報知させ（ステップＳ３１０）、本プログラムを終了する。
【０１２２】
また、制御装置７０は、第１送出器２０Ａ、第２送出器２０Ｂ、及び切替器６０が動作中ではないと判定した場合（ステップＳ３０１でＮｏ）には、第１送出器２０Ａが停止中、かつ、第２送出器２０Ｂ及び切替器６０が動作中であるか否かを判定する（ステップＳ３１１；図８Ｃ参照）。
【０１２３】
なお、ステップＳ３１１において、切替器６０が動作中とは、塗料が第２流路４２から第３流路４３を通流するように、作動していることをいう。例えば、切替器６０が三方弁で構成されている場合、塗料が配管４２Ｂから配管４３Ｂを通流するようにポートを接続している状態をいう。
【０１２４】
制御装置７０は、第１送出器２０Ａが停止中、かつ、第２送出器２０Ｂ及び切替器６０が動作中ではないと判定した場合（ステップＳ３１１でＮｏ）には、第１送出器２０Ａ、第２送出器２０Ｂ、及び切替器６０が停止中であると考えられる。この場合、第２非接触型流量計５０Ｂ及び第３非接触型流量計５０Ｃが塗料の流量を検出することはないと考えられるので、制御装置７０は、例えば、５０ｍｓｅｃ後に再び、ステップＳ３０１の処理を実行する。
【０１２５】
なお、制御装置７０は、第１送出器２０Ａが停止中、かつ、第２送出器２０Ｂ及び切替器６０が動作中ではないと判定した場合（ステップＳ３１１でＮｏ）に、第２非接触型流量計５０Ｂ及び／又は第３非接触型流量計５０Ｃが塗料の流量を検出した場合には、第１送出器２０Ａ、第２送出器２０Ｂ、第２非接触型流量計５０Ｂ、及び第３非接触型流量計５０Ｃのうち、少なくとも１つ以上の機器が異常である（故障している）と判定してもよい。
【０１２６】
一方、制御装置７０は、第１送出器２０Ａが停止中、かつ、第２送出器２０Ｂ及び切替器６０が動作中であると判定した場合（ステップＳ３１１でＹｅｓ）には、第３非接触型流量計５０Ｃから、当該第３非接触型流量計５０Ｃが検出した塗料の流量（第３流量Ｃ）を取得する（ステップＳ３１２）。
【０１２７】
次に、制御装置７０は、ステップＳ３１２で取得した第３流量Ｃが、第３閾値であるか否かを判定する（ステップＳ３１３）。ここで、第３閾値は、作業者が、入力器を介して、演算部に入力した、第２送出器２０Ｂが送出する塗料の流量であってもよい。また、第３閾値は、前記塗料の流量に流路の圧損、第３非接触型流量計５０Ｃの精度等を考慮した値、例えば、前記塗料の流量に対して、９５％〜１０５％の間の任意の値であってもよい。
【０１２８】
制御装置７０は、ステップＳ３１２で取得した第３流量Ｃが、第３閾値であると判定した場合（ステップＳ３１３でＹｅｓ）には、ロボットシステム１００は正常であると判定し（ステップＳ３１４）、例えば、５０ｍｓｅｃ後に再び、ステップＳ３０１の処理を実行する。
【０１２９】
一方、制御装置７０は、ステップＳ３１２で取得した第３流量Ｃが、第３閾値ではないと判定した場合（ステップＳ３１３でＮｏ）には、ロボットシステム１００は異常であると判定し（ステップＳ３１５）、報知器（図示せず）に、ロボットシステム１００の異常を報知させ（ステップＳ３１６）、本プログラムを終了する。
【０１３０】
なお、制御装置７０は、ステップＳ３１５の処理において、第２非接触型流量計５０Ｂから、当該第２非接触型流量計５０Ｂが検出した塗料の流量（第２流量Ｂ）を取得し、ステップＳ３１２で取得した流量（第３流量Ｃ）が、第２流量Ｂよりも小さい場合には、切替器６０及び／又は第３流路４３で詰まりが発生していると判定してもよい。また、制御装置７０は、ステップＳ３１５の処理において、第３流量Ｃが第２流量Ｂよりも大きい場合には、第２非接触型流量計５０Ｂ及び／又は第３非接触型流量計５０Ｃが故障していると判定してもよい。
【０１３１】
次に、本実施の形態３に係るロボットシステムの動作の他の例について、図９Ａ〜図９Ｃを参照しながら、説明する。
【０１３２】
図９Ａ〜図９Ｃに示すように、本実施の形態３に係るロボットシステムの動作の他の例は、上記、本実施の形態３に係るロボットシステムの動作の一例と基本的な動作は同じであるが、ステップＳ３１２及びステップＳ３１３の処理に代えて、ステップＳ３１２Ａ及びステップＳ３１３Ａの処理が実行される点が異なる。
【０１３３】
具体的には、制御装置７０は、第１送出器２０Ａが停止中、かつ、第２送出器２０Ｂ及び切替器６０が動作中であると判定した場合（ステップＳ３１１でＹｅｓ）には、第２非接触型流量計５０Ｂから、当該第２非接触型流量計５０Ｂが検出した塗料の流量（第２流量Ｂ）と、第３非接触型流量計５０Ｃから、当該第３非接触型流量計５０Ｃが検出した塗料の流量（第３流量Ｃ）を取得する（ステップＳ３１２Ａ）。
【０１３４】
次に、制御装置７０は、ステップＳ３１２Ａで取得した第２流量Ｂが第３流量Ｃと同じであるか否かを判定する（ステップ３１３Ａ）。
【０１３５】
制御装置７０は、ステップＳ３１２Ａで取得した第２流量Ｂが第３流量Ｃと同じであると判定した場合（ステップＳ３１３ＡでＹｅｓ）には、ロボットシステム１００は正常であると判定し（ステップＳ３１４）、例えば、５０ｍｓｅｃ後に再び、ステップＳ３０１の処理を実行する。
【０１３６】
一方、制御装置７０は、ステップＳ３１２Ａで取得した第２流量Ｂが第３流量Ｃと同じではないと判定した場合（ステップＳ３１３ＡでＮｏ）には、ロボットシステム１００は異常であると判定し（ステップＳ３１５）、報知器（図示せず）に、ロボットシステム１００の異常を報知させ（ステップＳ３１６）、本プログラムを終了する。
【０１３７】
このように構成された、本実施の形態３に係るロボットシステム１００であっても、実施の形態１に係るロボットシステム１００と同様の作用効果を奏する。
【０１３８】
（実施の形態４）
本実施の形態４に係るロボットシステムは、実施の形態１〜３（変形例を含む）のうち、いずれか１つの実施の形態に係るロボットシステムにおいて、流路が、送出器と塗装用ロボットを接続する第１流路を有し、非接触型流量計は、第１流路を構成し、非防爆エリアに配置されている第１配管に配設されていてもよい。
【０１３９】
また、本実施の形態４に係るロボットシステムでは、流路が、塗料供給源と送出器を接続する第２流路を有し、非接触型流量計は、第２流路を構成し、非防爆エリアに配置されている第２配管に配設されていてもよい。
【０１４０】
また、本実施の形態４に係るロボットシステムでは、流路が、送出器と塗装用ロボットを接続する第１流路と、塗料供給源と送出器を接続する第２流路と、第３流路と、を有し、第２流路の途中には、切替器が配設されていて、第３流路は、切替器と塗料供給源を接続するように構成されていて、非接触型流量計は、第１流路を構成し、非防爆エリアに配置されている第１配管、第２流路を構成し、非防爆エリアに配置されている第２配管、及び第３流路を構成し、非防爆エリアに配置されている第３配管のうち、少なくとも２つの配管に配設されていてもよい。
【０１４１】
さらに、本実施の形態４に係るロボットシステムでは、制御装置をさらに備え、制御装置は、非接触型流量計が検出した塗料の流量が入力され、かつ、送出器の動作を制御するように構成されていて、制御装置は、非接触型流量計が検出した塗料の流量と、送出器の動作の有無と、を基に、流路に異常が発生しているか否かを判定するように構成されていてもよい。
【０１４２】
以下、本実施の形態４に係るロボットシステムの一例について、図１０〜図１１Ｃを参照しながら詳細に説明する。
【０１４３】
［ロボットシステムの構成］
図１０は、本実施の形態４に係るロボットシステムの概略構成を示す模式図である。
【０１４４】
図１０に示すように、本実施の形態４に係るロボットシステム１００は、実施の形態１に係るロボットシステム１００と基本的構成は同じであるが、切替器６０と塗料供給源１０とを接続する第３流路４３が設けられている点と、２つの送出器（第１送出器２０Ａ及び第２送出器２０Ｂ）が設けられている点と、２つの非接触型流量計５０（第１非接触型流量計５０Ａ及び第２非接触型流量計５０Ｂ）が設けられている点と、が異なる。
【０１４５】
なお、第３流路４３を構成する配管のうち、非防爆エリア１０３に配置されている配管を第３配管４３Ａと称し、第２防爆エリア１０２Ｂに配置されている配管を配管４３Ｂと称し、第１防爆エリア１０２Ｃに配置されている配管を配管４３Ｃと称する。
【０１４６】
また、切替器６０は、本実施の形態４においては、三方弁で構成されていてもよく、配管４２Ｂ及び配管４３Ｂのそれぞれに配置されている、二方弁で構成されていてもよい。
【０１４７】
第１送出器２０Ａは、塗料を塗装用ロボット３０の塗装ガンに送出するように構成されていて、例えば、ギアポンプで構成されていてもよい。また、第２送出器２０Ｂは、塗料を循環させるように構成されていて、プランジャーポンプで構成されていてもよい。
【０１４８】
具体的には、第１送出器２０Ａは、配管４２Ｂの切替器６０よりも下流側の部分に配設されている。第２送出器２０Ｂは、配管４２Ｃに配設されている。なお、第２送出器２０Ｂは、配管４３Ｃに配設されていてもよい。
【０１４９】
第１非接触型流量計５０Ａは、第１配管４１Ａに配置されていて、第２非接触型流量計５０Ｂは、第２配管４２Ａに配置されている。第１非接触型流量計５０Ａ及び第２非接触型流量計５０Ｂは、同じ種類の非接触型流量計（例えば、超音波流量計）で構成されていてもよく、異なる種類の非接触型流量計（例えば、超音波流量計と電磁式流量計）で構成されていてもよい。
【０１５０】
［ロボットシステムの動作及び作用効果］
次に、本実施の形態４に係るロボットシステム１００の動作及び作用効果について、図１０〜図１１Ｃを参照しながら、説明する。
【０１５１】
図１１Ａ〜図１１Ｃは、本実施の形態４に係るロボットシステムの動作の一例を示すフローチャートである。なお、以下の動作は、制御装置７０の演算器が、記憶器に格納されている所定のプログラムを読み出すことにより、実行される。
【０１５２】
図１１Ａ〜図１１Ｃに示すように、制御装置７０は、第１送出器２０Ａ、第２送出器２０Ｂ、及び切替器６０が動作中であるか否かを判定する（ステップＳ４０１）。なお、ステップＳ４０１において、切替器６０が動作中とは、塗料が第２流路４２から第１流路４１を通流するように、作動していることをいう。例えば、切替器６０が三方弁で構成されている場合、塗料が配管４２Ｂを通流するようにポートを接続している状態をいう。
【０１５３】
制御装置７０は、第１送出器２０Ａ、第２送出器２０Ｂ、及び切替器６０が動作中ではないと判定した場合（ステップＳ４０１でＮｏ）には、ステップＳ４１０の処理を実行する。なお、ステップＳ４１０の処理については、後述する。
【０１５４】
一方、制御装置７０は、第１送出器２０Ａ、第２送出器２０Ｂ、及び切替器６０が動作中であると判定した場合（ステップＳ４０１でＹｅｓ）には、第１非接触型流量計５０Ａから、当該第１非接触型流量計５０Ａが検出した塗料の流量（以下、第１流量Ａと称する）と、第２非接触型流量計５０Ｂから、当該第２非接触型流量計５０Ｂが検出した塗料の流量（以下、第２流量Ｂと称する）を取得する（ステップＳ４０２）。
【０１５５】
次に、制御装置７０は、ステップＳ４０２で取得した第１流量Ａが第２流量Ｂと同じであるか否かを判定する（ステップ４０３）。
【０１５６】
制御装置７０は、ステップＳ４０２で取得した第１流量Ａが第２流量Ｂと同じであると判定した場合（ステップＳ４０３でＹｅｓ）には、ロボットシステム１００は正常であると判定し（ステップＳ４０４）、例えば、５０ｍｓｅｃ後に再び、ステップＳ４０１の処理を実行する。
【０１５７】
一方、制御装置７０は、ステップＳ４０２で取得した第１流量Ａが第２流量Ｂと同じではないと判定した場合（ステップＳ４０３でＮｏ）には、ステップＳ４０２で取得した第１流量Ａが第２流量Ｂより大きいか否かを判定する（ステップＳ４０５；図１１Ｂ参照）。
【０１５８】
制御装置７０は、ステップＳ４０２で取得した第１流量Ａが第２流量Ｂより大きいと判定した場合（ステップＳ４０５でＹｅｓ）には、切替器６０及び／又は第３流路４３で、詰まりが発生していると判定し（ステップＳ４０６）、報知器（図示せず）に、ロボットシステム１００の異常を報知させ（ステップＳ４０７）、本プログラムを終了する。
【０１５９】
一方、制御装置７０は、ステップＳ４０２で取得した第１流量Ａが第２流量Ｂより小さいと判定した場合（ステップＳ４０５でＮｏ）には、第１非接触型流量計５０Ａ及び／又は第２非接触型流量計５０Ｂで異常が発生していると判定し（ステップＳ４０８）、報知器（図示せず）に、ロボットシステム１００の異常を報知させ（ステップＳ４０９）、本プログラムを終了する。
【０１６０】
また、制御装置７０は、第１送出器２０Ａ、第２送出器２０Ｂ、及び切替器６０が動作中ではないと判定した場合（ステップＳ４０１でＮｏ）には、第１送出器２０Ａが停止中、かつ、第２送出器２０Ｂ及び切替器６０が動作中であるか否かを判定する（ステップＳ４１０；図１１Ｃ参照）。
【０１６１】
なお、ステップＳ４１０において、切替器６０が動作中とは、塗料が第２流路４２から第３流路４３を通流するように、作動していることをいう。例えば、切替器６０が三方弁で構成されている場合、塗料が配管４２Ｂから配管４３Ｂを通流するようにポートを接続している状態をいう。
【０１６２】
制御装置７０は、第１送出器２０Ａが停止中、かつ、第２送出器２０Ｂ及び切替器６０が動作中ではないと判定した場合（ステップＳ４１０でＮｏ）には、第１送出器２０Ａ、第２送出器２０Ｂ、及び切替器６０が停止中であると考えられる。この場合、第２非接触型流量計５０Ｂ及び第３非接触型流量計５０Ｃが塗料の流量を検出することはないと考えられるので、制御装置７０は、例えば、５０ｍｓｅｃ後に再び、ステップＳ４０１の処理を実行する。
【０１６３】
なお、制御装置７０は、第１送出器２０Ａが停止中、かつ、第２送出器２０Ｂ及び切替器６０が動作中ではないと判定した場合（ステップＳ４１０でＮｏ）に、第１非接触型流量計５０Ａ及び／又は第２非接触型流量計５０Ｂが塗料の流量を検出した場合には、第１送出器２０Ａ、第２送出器２０Ｂ、第１非接触型流量計５０Ａ、及び第２非接触型流量計５０Ｂのうち、少なくとも１つ以上の機器が異常である（故障している）と判定してもよい。
【０１６４】
一方、制御装置７０は、第１送出器２０Ａが停止中、かつ、第２送出器２０Ｂ及び切替器６０が動作中であると判定した場合（ステップＳ４１０でＹｅｓ）には、第２非接触型流量計５０Ｂから、当該第２非接触型流量計５０Ｂが検出した塗料の流量（第２流量Ｂ）を取得する（ステップＳ４１１）。
【０１６５】
次に、制御装置７０は、ステップＳ４１１で取得した第２流量Ｂが、第３閾値であるか否かを判定する（ステップＳ４１２）。ここで、第３閾値は、作業者が、入力器を介して、演算部に入力した、第２送出器２０Ｂが送出する塗料の流量であってもよい。また、第３閾値は、前記塗料の流量に流路の圧損、第３非接触型流量計５０Ｃの精度等を考慮した値、例えば、前記塗料の流量に対して、９５％〜１０５％の間の任意の値であってもよい。
【０１６６】
制御装置７０は、ステップＳ４１１で取得した第２流量Ｂが、第３閾値であると判定した場合（ステップＳ４１２でＹｅｓ）には、ロボットシステム１００は正常であると判定し（ステップＳ４１３）、例えば、５０ｍｓｅｃ後に再び、ステップＳ４０１の処理を実行する。
【０１６７】
一方、制御装置７０は、ステップＳ４１１で取得した第２流量Ｂが、第３閾値ではないと判定した場合（ステップＳ４１２でＮｏ）には、ロボットシステム１００は異常であると判定し（ステップＳ４１４）、報知器（図示せず）に、ロボットシステム１００の異常を報知させ（ステップＳ４１５）、本プログラムを終了する。
【０１６８】
なお、ロボットシステム１００の異常としては、第２送出器２０Ｂ、第２非接触型流量計５０Ｂ、及び切替器６０のうち、少なくとも１つの機器の故障、及び／又は流路４０から塗料の漏れ、詰まり等が挙げられる。
【０１６９】
制御装置７０は、例えば、ステップＳ４１１で取得した第２流量Ｂが、第３閾値より大きい場合には、第２送出器２０Ｂ及び／又は第２非接触型流量計５０Ｂの故障と判定してもよい。また、制御装置７０は、例えば、ステップＳ４１１で取得した流量が、第３閾値より小さい場合には、切替器６０及び／又は流路４０から塗料の漏れ・詰まりの異常が発生していると判定してもよい。
【０１７０】
このように構成された、本実施の形態４に係るロボットシステム１００であっても、実施の形態１に係るロボットシステム１００と同様の作用効果を奏する。
【０１７１】
（実施の形態５）
本実施の形態５に係るロボットシステムは、実施の形態１〜４（変形例を含む）のうち、いずれか１つの実施の形態に係るロボットシステムにおいて、流路が、送出器と塗装用ロボットを接続する第１流路を有し、非接触型流量計は、第１流路を構成し、非防爆エリアに配置されている第１配管に配設されていてもよい。
【０１７２】
また、本実施の形態５に係るロボットシステムでは、流路が、塗料供給源と送出器を接続する第２流路と、第３流路と、を有し、第２流路の途中には、切替器が配設されていて、第３流路は、切替器と塗料供給源を接続するように構成されていて、非接触型流量計は、第３流路を構成し、非防爆エリアに配置されている第３配管に配設されていてもよい。
【０１７３】
また、本実施の形態５に係るロボットシステムでは、流路が、送出器と塗装用ロボットを接続する第１流路と、塗料供給源と送出器を接続する第２流路と、第３流路と、を有し、第２流路の途中には、切替器が配設されていて、第３流路は、切替器と塗料供給源を接続するように構成されていて、非接触型流量計は、第１流路を構成し、非防爆エリアに配置されている第１配管、第２流路を構成し、非防爆エリアに配置されている第２配管、及び第３流路を構成し、非防爆エリアに配置されている第３配管のうち、少なくとも２つの配管に配設されていてもよい。
【０１７４】
さらに、本実施の形態５に係るロボットシステムでは、制御装置をさらに備え、制御装置は、非接触型流量計が検出した塗料の流量が入力され、かつ、送出器の動作を制御するように構成されていて、制御装置は、非接触型流量計が検出した塗料の流量と、送出器の動作の有無と、を基に、流路に異常が発生しているか否かを判定するように構成されていてもよい。
【０１７５】
以下、本実施の形態５に係るロボットシステムの一例について、図１２〜図１３Ｃを参照しながら詳細に説明する。
【０１７６】
［ロボットシステムの構成］
図１２は、本実施の形態５に係るロボットシステムの概略構成を示す模式図である。
【０１７７】
図１２に示すように、本実施の形態５に係るロボットシステム１００は、実施の形態１に係るロボットシステム１００と基本的構成は同じであるが、切替器６０と塗料供給源１０とを接続する第３流路４３が設けられている点と、２つの送出器（第１送出器２０Ａ及び第２送出器２０Ｂ）が設けられている点と、２つの非接触型流量計５０（第１非接触型流量計５０Ａ及び第３非接触型流量計５０Ｃ）が設けられている点と、が異なる。
【０１７８】
なお、第３流路４３を構成する配管のうち、非防爆エリア１０３に配置されている配管を第３配管４３Ａと称し、第２防爆エリア１０２Ｂに配置されている配管を配管４３Ｂと称し、第１防爆エリア１０２Ｃに配置されている配管を配管４３Ｃと称する。
【０１７９】
また、切替器６０は、本実施の形態５においては、三方弁で構成されていてもよく、配管４２Ｂ及び配管４３Ｂのそれぞれに配置されている、二方弁で構成されていてもよい。
【０１８０】
第１送出器２０Ａは、塗料を塗装用ロボット３０の塗装ガンに送出するように構成されていて、例えば、ギアポンプで構成されていてもよい。また、第２送出器２０Ｂは、塗料を循環させるように構成されていて、プランジャーポンプで構成されていてもよい。
【０１８１】
具体的には、第１送出器２０Ａは、配管４２Ｂの切替器６０よりも下流側の部分に配設されている。第２送出器２０Ｂは、配管４２Ｃに配設されている。なお、第２送出器２０Ｂは、配管４３Ｃに配設されていてもよい。
【０１８２】
第１非接触型流量計５０Ａは、第１配管４１Ａに配置されていて、第３非接触型流量計５０Ｃは、第３配管４３Ａに配置されている。第１非接触型流量計５０Ａ及び第３非接触型流量計５０Ｃは、同じ種類の非接触型流量計（例えば、超音波流量計）で構成されていてもよく、異なる種類の非接触型流量計（例えば、超音波流量計と電磁式流量計）で構成されていてもよい。
【０１８３】
［ロボットシステムの動作及び作用効果］
次に、本実施の形態５に係るロボットシステム１００の動作及び作用効果について、図１２〜図１３Ｃを参照しながら、説明する。
【０１８４】
図１３Ａ〜図１３Ｃは、本実施の形態５に係るロボットシステムの動作の一例を示すフローチャートである。なお、以下の動作は、制御装置７０の演算器が、記憶器に格納されている所定のプログラムを読み出すことにより、実行される。
【０１８５】
図１３Ａ〜図１３Ｃに示すように、制御装置７０は、第１送出器２０Ａ、第２送出器２０Ｂ、及び切替器６０が動作中であるか否かを判定する（ステップＳ５０１）。なお、ステップＳ５０１において、切替器６０が動作中とは、塗料が第２流路４２から第１流路４１を通流するように、作動していることをいう。例えば、切替器６０が三方弁で構成されている場合、塗料が配管４２Ｂを通流するようにポートを接続している状態をいう。
【０１８６】
制御装置７０は、第１送出器２０Ａ、第２送出器２０Ｂ、及び切替器６０が動作中ではないと判定した場合（ステップＳ５０１でＮｏ）には、ステップＳ５１１の処理を実行する。なお、ステップＳ５１１の処理については、後述する。
【０１８７】
一方、制御装置７０は、第１送出器２０Ａ、第２送出器２０Ｂ、及び切替器６０が動作中であると判定した場合（ステップＳ５０１でＹｅｓ）には、第１非接触型流量計５０Ａから、当該第１非接触型流量計５０Ａが検出した塗料の流量（以下、第１流量Ａと称する）を取得する（ステップＳ５０２）。
【０１８８】
次に、制御装置７０は、ステップＳ５０２で取得した第１流量Ａが、第１閾値であるか否かを判定する（ステップＳ５０３）。
【０１８９】
制御装置７０は、ステップＳ５０２で取得した第１流量Ａが、第１閾値であると判定した場合（ステップＳ５０３でＹｅｓ）には、ロボットシステム１００は正常であると判定し（ステップＳ５０４）、例えば、５０ｍｓｅｃ後に再び、ステップＳ５０１の処理を実行する。
【０１９０】
一方、制御装置７０は、ステップＳ５０２で取得した第１流量Ａが、第１閾値ではないと判定した場合（ステップＳ５０３でＮｏ）には、第３非接触型流量計５０Ｃから、当該第３非接触型流量計５０Ｃが検出した塗料の流量（以下、第３流量Ｃと称する）を取得する（ステップＳ５０５；図１３Ｂ参照）。
【０１９１】
なお、制御装置７０は、ステップＳ５０３において、ステップＳ５０２で取得した第１流量Ａが第１閾値よりも大きい場合には、第１送出器２０Ａ、第２送出器２０Ｂ及び第１非接触型流量計５０Ａのうち、少なくとも１つの機器の故障（異常）であると判定し、ロボットシステム１００の異常を報知させてもよい。
【０１９２】
次に、制御装置７０は、ステップＳ５０５で取得した第３流量Ｃが、第２閾値より大きいか否かを判定する（ステップＳ５０６）。
【０１９３】
制御装置７０は、ステップＳ５０５で取得した第３流量Ｃが、第２閾値より大きいと判定した場合（ステップＳ５０６でＹｅｓ）には、切替器６０から塗料がリークしていると判定し（ステップＳ５０７）、報知器（図示せず）に、ロボットシステム１００の異常を報知させ（ステップＳ５０８）、本プログラムを終了する。
【０１９４】
一方、制御装置７０は、ステップＳ５０５で取得した第３流量Ｃが、第２閾値以下であると判定した場合（ステップＳ５０６でＮｏ）には、切替器６０、第１流路４１、及び第２流路４２のうち、少なくとも１つの部材（機器、配管）で、詰まりが発生していると判定し（ステップＳ５０９）、報知器（図示せず）に、ロボットシステム１００の異常を報知させ（ステップＳ５１０）、本プログラムを終了する。
【０１９５】
なお、ステップＳ５０９で、制御装置７０が、詰まりが発生していると判定するのは、以下の理由からである。第３非接触型流量計５０Ｃで検出した流量（第３流量Ｃ）が、第２閾値以下であることから、塗料は、第３流路４３を通流していない。一方、第１非接触型流量計５０Ａで検出した流量（第１流量Ａ）が第１閾値ではないから、塗料は、第１流路４１及び第２流路４２を通流しているが、その流量が第１閾値ではない（第１閾値未満である）ため、切替器６０、第１流路４１、及び第２流路４２のうち、少なくとも１つの部材で詰まりが発生していると考えられるからである。
【０１９６】
また、制御装置７０は、第１送出器２０Ａ、第２送出器２０Ｂ、及び切替器６０が動作中ではないと判定した場合（ステップＳ５０１でＮｏ）には、第１送出器２０Ａが停止中、かつ、第２送出器２０Ｂ及び切替器６０が動作中であるか否かを判定する（ステップＳ５１１；図１３Ｃ参照）。
【０１９７】
なお、ステップＳ５１１において、切替器６０が動作中とは、塗料が第２流路４２から第３流路４３を通流するように、作動していることをいう。例えば、切替器６０が三方弁で構成されている場合、塗料が配管４２Ｂから配管４３Ｂを通流するようにポートを接続している状態をいう。
【０１９８】
制御装置７０は、第１送出器２０Ａが停止中、かつ、第２送出器２０Ｂ及び切替器６０が動作中ではないと判定した場合（ステップＳ５１１でＮｏ）には、第１送出器２０Ａ、第２送出器２０Ｂ、及び切替器６０が停止中であると考えられる。この場合、第２非接触型流量計５０Ｂ及び第３非接触型流量計５０Ｃが塗料の流量を検出することはないと考えられるので、制御装置７０は、例えば、５０ｍｓｅｃ後に再び、ステップＳ５０１の処理を実行する。
【０１９９】
なお、制御装置７０は、第１送出器２０Ａが停止中、かつ、第２送出器２０Ｂ及び切替器６０が動作中ではないと判定した場合（ステップＳ５１１でＮｏ）に、第２非接触型流量計５０Ｂ及び／又は第３非接触型流量計５０Ｃが塗料の流量を検出した場合には、第１送出器２０Ａ、第２送出器２０Ｂ、第２非接触型流量計５０Ｂ、及び第３非接触型流量計５０Ｃのうち、少なくとも１つ以上の機器が異常である（故障している）と判定してもよい。
【０２００】
一方、制御装置７０は、第１送出器２０Ａが停止中、かつ、第２送出器２０Ｂ及び切替器６０が動作中であると判定した場合（ステップＳ５１１でＹｅｓ）には、第３非接触型流量計５０Ｃから、当該第３非接触型流量計５０Ｃが検出した塗料の流量（第３流量Ｃ）を取得する（ステップＳ５１２）。
【０２０１】
次に、制御装置７０は、ステップＳ５１２で取得した第３流量Ｃが、第３閾値であるか否かを判定する（ステップＳ５１３）。ここで、第３閾値は、作業者が、入力器を介して、演算部に入力した、第２送出器２０Ｂが送出する塗料の流量であってもよい。また、第３閾値は、前記塗料の流量に流路の圧損、第３非接触型流量計５０Ｃの精度等を考慮した値、例えば、前記塗料の流量に対して、９５％〜１０５％の間の任意の値であってもよい。
【０２０２】
制御装置７０は、ステップＳ５１２で取得した第３流量Ｃが、第３閾値であると判定した場合（ステップＳ５１３でＹｅｓ）には、ロボットシステム１００は正常であると判定し（ステップＳ５１４）、例えば、５０ｍｓｅｃ後に再び、ステップＳ５０１の処理を実行する。
【０２０３】
一方、制御装置７０は、ステップＳ５１２で取得した第３流量Ｃが、第３閾値ではないと判定した場合（ステップＳ５１３でＮｏ）には、ロボットシステム１００は異常であると判定し（ステップＳ５１５）、報知器（図示せず）に、ロボットシステム１００の異常を報知させ（ステップＳ５１６）、本プログラムを終了する。
【０２０４】
なお、制御装置７０は、ステップＳ５１５の処理において、ステップＳ５１２で取得した流量（第３流量Ｃ）が、第３閾値よりも小さい場合には、切替器６０及び／又は第３流路４３で詰まりが発生していると判定してもよい。また、制御装置７０は、ステップＳ５１５の処理において、第３流量Ｃが第３閾値よりも大きい場合には、第２送出器２０Ｂ及び／又は第３非接触型流量計５０Ｃが故障していると判定してもよい。
【０２０５】
また、制御装置７０は、ステップＳ５１５の処理において、第１非接触型流量計５０Ａから、当該第１非接触型流量計５０Ａが検出した塗料の流量（第１流量Ａ）を取得し、第１流量Ａが第２閾値よりも大きい場合には、切替器６０から塗料がリークしていると判定してもよい。
【０２０６】
このように構成された、本実施の形態５に係るロボットシステム１００であっても、実施の形態１に係るロボットシステム１００と同様の作用効果を奏する。
【０２０７】
（実施の形態６）
本実施の形態６に係るロボットシステムは、実施の形態１〜５（変形例を含む）のうち、いずれか１つの実施の形態に係るロボットシステムにおいて、流路が、送出器と塗装用ロボットを接続する第１流路を有し、非接触型流量計は、第１流路を構成し、非防爆エリアに配置されている第１配管に配設されていてもよい。
【０２０８】
また、本実施の形態６に係るロボットシステムでは、流路が、塗料供給源と送出器を接続する第２流路と、第３流路と、を有し、第２流路の途中には、切替器が配設されていて、第３流路は、切替器と塗料供給源を接続するように構成されていて、非接触型流量計は、第３流路を構成し、非防爆エリアに配置されている第３配管に配設されていてもよい。
【０２０９】
また、本実施の形態６に係るロボットシステムでは、流路が、塗料供給源と送出器を接続する第２流路を有し、非接触型流量計は、第２流路を構成し、非防爆エリアに配置されている第２配管に配設されていてもよい。
【０２１０】
また、本実施の形態６に係るロボットシステムでは、流路が、送出器と塗装用ロボットを接続する第１流路と、塗料供給源と送出器を接続する第２流路と、第３流路と、を有し、第２流路の途中には、切替器が配設されていて、第３流路は、切替器と塗料供給源を接続するように構成されていて、非接触型流量計は、第１流路を構成し、非防爆エリアに配置されている第１配管、第２流路を構成し、非防爆エリアに配置されている第２配管、及び第３流路を構成し、非防爆エリアに配置されている第３配管のうち、少なくとも２つの配管に配設されていてもよい。
【０２１１】
さらに、本実施の形態６に係るロボットシステムでは、制御装置をさらに備え、制御装置は、非接触型流量計が検出した塗料の流量が入力され、かつ、送出器の動作を制御するように構成されていて、制御装置は、非接触型流量計が検出した塗料の流量と、送出器の動作の有無と、を基に、流路に異常が発生しているか否かを判定するように構成されていてもよい。
【０２１２】
以下、本実施の形態６に係るロボットシステムの一例について、図１４を参照しながら詳細に説明する。なお、本実施の形態６に係るロボットシステムの動作は、実施の形態１〜５（変形例を含む）のうち、いずれか１つの実施の形態に係るロボットシステム１００の動作と同様に実行されるため、その詳細な説明は省略する。
【０２１３】
［ロボットシステムの構成］
図１４は、本実施の形態６に係るロボットシステムの概略構成を示す模式図である。
【０２１４】
図１４に示すように、本実施の形態６に係るロボットシステム１００は、実施の形態１に係るロボットシステム１００と基本的構成は同じであるが、切替器６０と塗料供給源１０とを接続する第３流路４３が設けられている点と、２つの送出器（第１送出器２０Ａ及び第２送出器２０Ｂ）が設けられている点と、３つの非接触型流量計５０（第１非接触型流量計５０Ａ、第２非接触型流量計５０Ｂ、及び第３非接触型流量計５０Ｃ）が設けられている点と、が異なる。
【０２１５】
なお、第３流路４３を構成する配管のうち、非防爆エリア１０３に配置されている配管を第３配管４３Ａと称し、第２防爆エリア１０２Ｂに配置されている配管を配管４３Ｂと称し、第１防爆エリア１０２Ｃに配置されている配管を配管４３Ｃと称する。
【０２１６】
また、切替器６０は、本実施の形態６においては、三方弁で構成されていてもよく、配管４２Ｂ及び配管４３Ｂのそれぞれに配置されている、二方弁で構成されていてもよい。
【０２１７】
第１送出器２０Ａは、塗料を塗装用ロボット３０の塗装ガンに送出するように構成されていて、例えば、ギアポンプで構成されていてもよい。また、第２送出器２０Ｂは、塗料を循環させるように構成されていて、プランジャーポンプで構成されていてもよい。
【０２１８】
具体的には、第１送出器２０Ａは、配管４２Ｂの切替器６０よりも下流側の部分に配設されている。第２送出器２０Ｂは、配管４２Ｃに配設されている。なお、第２送出器２０Ｂは、配管４３Ｃに配設されていてもよい。
【０２１９】
第１非接触型流量計５０Ａは、第１配管４１Ａに配置されていて、第２非接触型流量計５０Ｂは、第２配管４２Ａに配置されていて、第３非接触型流量計５０Ｃは、第３配管４３Ａに配置されている。第１非接触型流量計５０Ａ、第２非接触型流量計５０Ｂ、及び第３非接触型流量計５０Ｃは、それぞれ、同じ種類の非接触型流量計（例えば、超音波流量計）で構成されていてもよく、異なる種類の非接触型流量計（例えば、超音波流量計と電磁式流量計）で構成されていてもよい。
【０２２０】
このように構成された、本実施の形態６に係るロボットシステム１００であっても、実施の形態１に係るロボットシステム１００と同様の作用効果を奏する。
【０２２１】
上記説明から、当業者にとっては、本発明の多くの改良又は他の実施形態が明らかである。したがって、上記説明は、例示としてのみ解釈されるべきであり、本発明を実行する最良の形態を当業者に教示する目的で提供されたものである。本発明を逸脱することなく、その構造及び／又は機能の詳細を実質的に変更できる。また、上記実施形態に開示されている複数の構成要素の適宜な組合せにより種々の発明を形成できる。
【産業上の利用可能性】
【０２２２】
本発明のロボットシステムは、塗装用ロボットを備える、ロボットシステムのコストを低減し、メンテナンス作業を容易にすることができるため、有用である。
【符号の説明】
【０２２３】
１０  塗料供給源
２０  送出器
２０Ａ  第１送出器
２０Ｂ  第２送出器
３０  塗装用ロボット
４０  流路
４１  第１流路
４１Ａ  第１配管
４１Ｂ  配管
４２  第２流路
４２Ａ  第２配管
４２Ｂ  配管
４２Ｃ  配管
４３  第３流路
４３Ａ  第３配管
４３Ｂ  配管
４３Ｃ  配管
５０  非接触型流量計
５０Ａ  第１非接触型流量計
５０Ｂ  第２非接触型流量計
５０Ｃ  第３非接触型流量計
６０  切替器
７０  制御装置
８０  継手
８１  隔壁部材
１００  ロボットシステム
１０１  ブース壁
１０１Ａ  ブース壁
１０１Ｂ  ブース壁
１０２  防爆エリア
１０２Ｂ  第２防爆エリア
１０２Ｃ  第１防爆エリア
１０３  非防爆エリア
【要約】
本発明に係るロボットシステムは、塗料供給源（１０）と、送出器（２０）と、塗装用ロボット（３０）と、塗料供給源（１０）から送出器（２０）を経て塗装用ロボット（３０）と接続され、その一部が非防爆エリア（１０３）に位置するように配置されている流路（４０）と、流路（４０）に配置され、当該流路（４０）を通流する塗料の流量を検出するように構成されている、非接触型流量計（５０）と、を備え、塗装用ロボット（３０）及び送出器（２０）は、防爆エリア（１０２）に配置され、塗料供給源（１０）及び非接触型流量計（５０）は、非防爆エリア（１０３）に配置されている。【図１】
0006814909.tif 000002
【図２】
0006814909.tif 000003
【図３】
0006814909.tif 000004
【図４Ａ】
0006814909.tif 000005
【図４Ｂ】
0006814909.tif 000006
【図５】
0006814909.tif 000007
【図６】
0006814909.tif 000008
【図７】
0006814909.tif 000009
【図８Ａ】
0006814909.tif 000010
【図８Ｂ】
0006814909.tif 000011
【図８Ｃ】
0006814909.tif 000012
【図９Ａ】
0006814909.tif 000013
【図９Ｂ】
0006814909.tif 000014
【図９Ｃ】
0006814909.tif 000015
【図１０】
0006814909.tif 000016
【図１１Ａ】
0006814909.tif 000017
【図１１Ｂ】
0006814909.tif 000018
【図１１Ｃ】
0006814909.tif 000019
【図１２】
0006814909.tif 000020
【図１３Ａ】
0006814909.tif 000021
【図１３Ｂ】
0006814909.tif 000022
【図１３Ｃ】
0006814909.tif 000023
【図１４】
0006814909.tif 000024